(57)【特許請求の範囲】
【請求項１】
防犯を必要とする場所に設置される防犯カメラで防犯場所の映像を撮影し、この撮影された映像情報を前記防犯場所と隔離された箇所に設置される映像記録装置に記録する防犯映像管理システムであって、
前記防犯場所に設置され、前記映像記録装置に記録された映像情報を表示する表示装置が設けられ、
前記映像記録装置は、固有識別データが設定され、前記防犯カメラによって撮影された映像情報を記録するとともに、前記表示装置から入力される固有識別データ要求信号に基づいて前記固有識別データを読み出して送信し、また前記表示装置から入力される前記映像情報の表示指示制御信号、撮影条件を含む動作条件の変更指示制御信号、前記動作条件の確認指示制御信号の何れか１つに基づいて所定の処理を実行し、
前記表示装置は、前記防犯場所から無線伝送により入力される識別データ、この識別データの後に当該防犯場所から無線伝送により入力される前記表示指示制御信号、前記動作条件の変更指示制御信号、前記動作条件の確認指示制御信号を受信する受信部と、この受信部により受信された識別データに基づいて前記映像記録装置に対して前記固有識別データ要求信号を送信し、当該映像記録装置から送られてくる前記固有識別データを受け取った場合、当該固有識別データと前記受信された識別データとを比較照合し、この比較照合の結果両識別データが一致したことを検出したときに前記識別データの後に入力される前記表示指示制御信号に基づいて前記映像記録装置から映像情報を再生するための処理を実行し、また受信された前記動作条件の変更指示制御信号、前記動作条件の確認指示制御信号に基づいて前記映像記録装置に対して前記動作条件の変更処理、当該動作条件の確認情報を受け取るための処理を実行する演算処理制御部と、この演算処理制御部の実行によって前記映像記録装置から送信されてくる前記映像情報、前記動作条件の確認情報を無線伝送により前記防犯場所に送信する送信部とを有することを特徴とする防犯映像管理システム。
【請求項２】
防犯を必要とする場所に設置される防犯カメラで防犯場所の映像を撮影し、この撮影された映像情報を前記防犯場所と隔離された箇所に設置される映像記録装置に記録する防犯映像管理システムであって、
前記防犯場所以外の場所の所要とする場所に設置され、前記映像記録装置に記録された映像情報を無線伝送により受信し表示する外部モニター装置が設けられ、
前記映像記録装置は、固有識別データが設定され、前記防犯カメラによって撮影された映像情報を記録するとともに、前記外部モニター装置から無線伝送により入力される固有識別データ要求信号に基づいて前記固有識別データを読み出して無線伝送により送信し、また前記外部モニター装置から無線伝送により入力される前記映像情報の表示指示制御信号、撮影条件を含む動作条件の変更指示制御信号、前記動作条件の確認指示制御信号の何れか１つに基づいて所定の処理を実行し、
前記外部モニター装置は、前記防犯場所以外の場所の所要とする場所から無線伝送により入力される識別データ、この識別データの後に当該前記防犯場所以外の場所の所要とする場所から入力される前記表示指示制御信号、前記動作条件の変更指示制御信号、前記動作条件の確認指示制御信号を受信する受信部と、この受信部により受信された識別データに基づいて前記映像記録装置に対して前記固有識別データ要求信号を無線伝送により送信し、当該映像記録装置から無線伝送により送られてくる前記固有識別データを受け取った場合、当該固有識別データと前記受信された識別データとを比較照合し、この比較照合の結果両識別データが一致したことを検出したときに前記識別データの後に入力される前記表示指示制御信号に基づいて前記映像記録装置から映像情報を再生するための処理を実行し、また受信された前記動作条件の変更指示制御信号、前記動作条件の確認指示制御信号に基づいて前記映像記録装置に対して前記動作条件の変更処理、当該動作条件の確認情報を受け取るための処理を実行する演算処理制御部と、この演算処理制御部の実行によって前記映像記録装置から無線伝送により送信されてくる前記映像情報、前記動作条件の確認情報を無線伝送により前記防犯場所以外の場所の所要とする場所に送信する送信部とを有することを特徴とする防犯映像管理システム。
【請求項３】
防犯を必要とする場所に設置される防犯カメラで防犯場所の映像を撮影し、この撮影された映像情報を前記防犯場所と隔離された箇所に設置される映像記録装置に記録する防犯映像管理システムであって、
前記映像記録装置に記録された映像情報を表示する表示装置が設けられ、
前記映像記録装置は、固有識別データが設定され、前記防犯カメラによって撮影された映像情報を記録するとともに、前記防犯カメラまたは前記表示装置から入力される固有識別データ要求信号に基づいて前記固有識別データを読み出して送信し、また前記防犯カメラまたは前記表示装置から入力される前記映像情報の表示指示制御信号、撮影条件を含む動作条件の変更指示制御信号、前記動作条件の確認指示制御信号の何れか１つに基づいて所定の処理を実行し、
前記防犯カメラと前記表示装置とに、それぞれ前記防犯場所から無線伝送により入力される識別データ、この識別データの後に当該防犯場所から無線伝送により入力される前記表示指示制御信号、前記動作条件の変更指示制御信号、前記動作条件の確認指示制御信号を受信する受信部と、この受信された識別データに基づいて前記映像記録装置に対して固有識別データ要求信号を送信し、当該映像記録装置から送られてくる前記固有識別データを受け取った場合、当該固有識別データと前記受信された識別データとを比較照合し、この比較照合の結果両識別データが一致したことを検出したときに前記識別データの後に入力される前記表示指示制御信号に基づいて前記映像記録装置から映像情報を再生するための処理を実行し、また受信された前記動作条件の変更指示制御信号、前記動作条件の確認指示制御信号に基づいて前記映像記録装置に対して前記動作条件の変更処理、当該動作条件の確認情報を受け取るための処理を実行する演算処理制御部と、この演算処理制御部の実行によって前記映像記録装置から送信されてくる前記映像情報、前記動作条件の確認情報を無線伝送により前記防犯場所に送信する送信部とを有し、
前記防犯カメラと前記表示装置との何れか１つを選択し、前記防犯場所との間で無線伝送により前記各種情報の授受を行うことを特徴とすることを特徴とする防犯映像管理システム。
【請求項４】
請求項１ないし請求項３の何れか一項に記載の防犯映像管理システムにおいて、
前記識別データ、前記映像情報の表示指示制御信号、記録指示制御信号、撮影条件を含む動作条件の変更指示制御信号、撮影条件を含む動作条件の確認指示制御信号を入力する入力手段を有し、この入力手段から入力される前記識別データ、前記各制御信号に基づいて所定の処理を実行し、前記表示装置、前記外部モニター装置、前記防犯カメラの何れか１つと無線伝送により情報の授受を行う携帯端末を設けたことを特徴とする防犯映像管理システム。
【請求項５】
防犯を必要とする場所に設置される防犯カメラで防犯場所の映像を撮影し、この撮影された映像情報を前記防犯場所と隔離された個所に設置される映像記録装置に記録する防犯映像管理システムであって、
前記防犯場所に設置され、前記映像記録装置に記録された映像情報を表示する表示装置と、この表示装置と前記防犯カメラとの何れか１つを中継機器として無線伝送によって信号の授受を行う携帯端末とを有し、
前記映像記録装置は、固有識別データが設定され、前記防犯カメラによって撮影された映像情報を記録するとともに、外部から固有識別データ要求信号を受けたとき、当該固有識別データを読み出して送信し、また前記映像情報の表示指示制御信号、撮影条件を含む動作条件の変更指示制御信号、前記動作条件の確認指示制御信号の何れか１つを受けたとき、当該制御信号に基づいて所定の処理を実行し、その処理結果の情報を送信し、
前記携帯端末は、入力手段から入力される識別データを伴う表示指示制御信号が入力されたとき、当該表示指示制御信号を送信するに先立ち、固有識別データ要求信号を無線伝送により前記１つの中継機器を介して前記映像記録装置に送信し、この固有識別データ要求信号に基づいて前記映像記録装置から前記１つの中継装置を介して無線伝送により送信されてくる固有識別データを受け取った場合、この固有識別データと前記識別データとを比較照合し、この比較照合の結果両識別データが一致したことを検出したときに初めて前記表示指示制御信号を無線伝送により前記１つの中継機器を介して前記映像記録装置に送信し、当該映像記録装置の再生処理によって読み出されて当該１つの中継機器を介して無線伝送により送られてくる映像情報を受信し、また前記入力手段から入力される撮影条件を含む動作条件の変更指示制御信号、前記動作条件の確認指示制御信号の何れか１つの制御信号を送信した後に前記映像記録装置から送信されてくる前記所定の処理結果の情報を前記１つの中継機器を介して無線伝送により受信する送受信手段と、この送受信手段で受信された映像情報を記録する記録手段と、この記録手段に記録された内容を表示する表示手段とを有することを特徴とする防犯映像管理システム。
【請求項６】
請求項４または請求項５に記載の防犯映像管理システムにおいて、
前記携帯端末は、着脱自在に装填され、前記受信された映像情報を記憶するメモリカードを有することを特徴とする防犯映像管理システム。
【請求項７】
請求項４ないし請求項６の何れか一項に記載の防犯映像管理システムにおいて、
前記携帯端末は、前記入力手段から記録指示制御信号が入力された場合、既に前記記録手段に記録される映像情報を間引き処理し、再度当該記録手段に上書き記録することを特徴とする防犯映像管理システム。
【請求項８】
請求項４または請求項５に記載の防犯映像管理システムにおいて、
前記携帯端末は、前記入力手段から動作条件の変更指示制御信号、動作条件の確認指示制御信号が入力された場合、予め設定されている条件項目のメニューを前記表示手段に表示し、そのメニュー選択に従って選択された必要な条件項目を伴う動作条件の変更指示制御信号、動作条件の確認指示制御信号を前記表示装置、前記外部モニター装置、前記防犯カメラの何れか１つに無線伝送により送信し、前記映像記録装置に設定される撮影条件を含む動作条件の変更指示、または前記映像記録装置から当該撮影条件を含む動作条件を読み出して前記表示手段に確認可能に表示することを特徴とする防犯映像管理システム。
【請求項９】
請求項２、４、５、６、８の何れか一項に記載の防犯映像管理システムにおいて、
前記無線伝送手段は、赤外線を用いた無線伝送であることを特徴とする防犯映像管理システム。
【発明の詳細な説明】
【０００１】
【発明の属する技術分野】
本発明は、防犯を必要とする場所，エレベータの乗りかご、建物その他防犯を必要とする各所に利用される防犯映像管理システムに関する。
【０００２】
【従来の技術】
従来、エレベータの乗りかご内の犯罪を防止するために、かご内の適宜な個所に防犯カメラが取り付けられ、また乗りかご上部にハードディスクなどの映像記録装置が設置され、防犯カメラで撮影された映像を映像記録装置に記録し保存することが行われている。
【０００３】
ところで、この映像記録装置に保存された映像や撮影条件を確認する場合、２通りの確認方法が考えられている。
【０００４】
その１つの映像確認方法は、保守員が定期的或いは必要なときに乗りかごの上部に上がり、映像記録装置にモニター装置を接続し、モニター装置に映し出される映像を確認する他、コマ送り速度，画質等の撮影条件の設定、確認を行っている。
【０００５】
また、他の１つの映像確認方法は、乗りかご上部に設置される映像記録装置の映像出力端子からケーブルを引き出して乗りかご内に取り付けられているモニター用端子に接続し、このモニター用端子にモニター装置を接続し、映像記録装置に保存される映像を確認し、また映像記録装置から同様にケーブルを引き出して乗りかご内のリモコン用接続端子に接続し、このリモコン用接続端子にリモコン装置を接続し、映像記録装置の記録内容の検索、記録・読出しモードの設定を行うものである（例えば特許文献１）。
【０００６】
【特許文献１】
特開２０００−１４３１２８号公報（第３頁左欄１６行−２５行、図２）。
【０００７】
【発明が解決しようとする課題】
しかしながら、以上のような映像記録装置の映像や撮影条件の確認方法には、次のような問題点が指摘されている。
【０００８】
前者の映像確認方法は、保守員が乗りかごの上部に上がり、モニター装置に映し出される映像の確認、撮影条件の設定、確認するものであり、保守員がその都度乗りかごの上部に上がる必要があるので、映像確認等の作業が煩雑であり、またエレベータの運転を停止しなければならず、種々の時間的な制約が出てくる。さらに、エレベータの保守員以外のエレベータ管理者などの特定者が容易に映像を確認したり、撮影条件の設定をすることができない。
【０００９】
一方、後者の映像確認方法は、エレベータ保守員以外の不特定多数の者を含む特定者者でも映像を確認できるが、特定者による撮影条件の確認・設定が難しいなどの問題がある。
【００１０】
また、映像記録装置に保存される映像を読み出す場合、常に別体のリモコン装置とモニター装置を携行し、リモコン用接続端子及びモニター用端子に接続しなければならず、映像の確認作業が大掛かりとなる問題がある。
【００１１】
さらに、エレベータ保守員以外の不特定多数の者でも映像を確認できるということは、映像漏洩という問題があり、十分にセキュリティを確保しにくい問題がある。
【００１２】
本発明は上記事情に鑑みてなされたもので、保守員が比較的少ない労力で短時間に映像確認及び撮影条件の設定・確認が可能な防犯映像管理システムを提供することを目的とする。
【００１３】
また、本発明の他の目的は、保守員だけでなく、特定者でも容易に映像を確認可能であり、かつ、映像の漏洩を防止する防犯映像管理システムを提供することにある。
【００１４】
【課題を解決するための手段】
（１）  上記課題を解決するために、本発明に係る防犯映像管理システムは、防犯を必要とする場所に取り付けられ、この防犯場所の映像を撮影する防犯カメラと、前記防犯場所と隔離された箇所に設置され、固有識別データが設定され、前記防犯カメラによって撮影された映像情報を記録するとともに、外部から入力される識別データ、表示指示制御信号、撮影条件を含む動作条件の変更指示制御信号、前記動作条件の確認指示制御信号の何れか１つに基づいて所定の動作を行う前記映像記録装置と、前記防犯場所に設置され、前記映像記録装置に記録された映像情報を表示する表示装置とが設けられ、
この表示装置は、前記防犯場所から無線伝送により入力される識別データ、この識別データの後に防犯場所から無線伝送により入力される前記表示指示制御信号、前記動作条件の変更指示制御信号、前記動作条件の確認指示制御信号を受信する受信部と、この受信部により受信された識別データに基づいて前記映像記録装置に対して前記固有識別データを要求し、当該映像記録装置から送られてくる前記固有識別データを受け取った場合、当該固有識別データと前記受信された識別データとを比較照合し、この比較照合の結果両識別データが一致したことを検出したときに前記識別データの後に入力される前記表示指示制御信号に基づいて前記映像記録装置から映像情報を再生するための処理を実行し、また受信された前記動作条件の変更指示制御信号、前記動作条件の確認指示制御信号に基づいて前記映像記録装置に対して前記動作条件の変更処理、当該動作条件の確認情報を受け取るための処理を実行する演算処理制御部と、この演算処理制御部の実行によって前記映像記録装置から送信されてくる前記映像情報、前記動作条件の確認情報を前記防犯場所に送信する送信部を有する構成である。
【００１５】
本発明は以上のような構成とすることにより、防犯場所である乗りかご内に設置される表示装置に受信部および演算処理部を設け、当該犯行場所から無線伝送により入力されてくる識別データ、各種の制御信号を受信部で受信し、識別データのもとに映像記録装置から取り出す固有識別データと識別データとが一致する場合には当該制御信号が例えば映像情報の表示指示である場合、映像記録装置に記録される映像情報を取り出し、送信部から防犯場所に無線伝送により送信するので、映像記録装置に記録される映像情報を取り出し確認でき、また、制御信号が例えば映像記録装置の撮影条件を含む動作条件の変更・確認であれば、表示装置の演算処理制御部が前記映像記録装置に設定される撮影条件を含む動作条件を変更したり、前記映像記録装置から当該撮影条件を含む動作条件を読み出して防犯場所に送信するので、保守員が乗りかご内で比較的少ない労力で短時間に映像確認及び撮影条件の設定・確認が可能となる。
【００１６】
なお、映像記録装置と防犯場所以外の所要の場所に設置される外部モニター装置との間で双方向無線伝送により接続されている場合、前述と同様に外部モニター装置に表示装置と同様な構成を設ければ、前述と同様な作用効果を奏するものである。
【００１７】
また、犯行場所に設置される防犯カメラと表示装置との両方に前述する表示装置と同様な構成を設ければ、防犯カメラと表示装置との何れかを選択して制御信号を送信でき、また映像記録装置の映像情報を確認でき、映像記録装置に設定される撮影条件を含む動作条件を変更、確認等を行うことができる。
【００１８】
（２）  また、本発明は、防犯を必要とする場所に設置される防犯カメラで防犯場所の映像を撮影し、この撮影された映像情報を前記防犯場所と隔離された個所に設置される映像記録装置に記録する防犯映像管理システムであって、前記防犯場所に設置され、前記映像記録装置に記録された映像情報を表示する表示装置と、この表示装置と前記防犯カメラとの何れか１つを中継機器として無線伝送によって信号の授受を行う携帯端末とを有し、前記映像記録装置は、固有識別データが設定され、前記防犯カメラによって撮影された映像情報を記録するとともに、外部から固有識別データ要求信号を受けたとき、当該固有識別データを読み出して送信し、また前記映像情報の表示指示制御信号、撮影条件を含む動作条件の変更指示制御信号、前記動作条件の確認指示制御信号の何れか１つを受けたとき、当該制御信号に基づいて所定の処理を実行し、その処理結果の情報を送信し、
前記携帯端末は、入力手段から入力される識別データを伴う表示指示制御信号が入力されたとき、当該表示指示制御信号を送信するに先立ち、固有識別データ要求信号を無線伝送により前記１つの中継機器を介して前記映像記録装置に送信し、この固有識別データ要求信号に基づいて前記映像記録装置から前記１つの中継装置を介して無線伝送により送信されてくる固有識別データを受け取った場合、この固有識別データと前記識別データとを比較照合し、この比較照合の結果両識別データが一致したことを検出したときに初めて前記表示指示制御信号を無線伝送により前記１つの中継機器を介して前記映像記録装置に送信し、当該映像記録装置の再生処理によって読み出されて当該１つの中継機器を介して無線伝送により送られてくる映像情報を受信し、また前記入力手段から入力される撮影条件を含む動作条件の変更指示制御信号、前記動作条件の確認指示制御信号の何れか１つの制御信号を送信した後に前記映像記録装置から送信されてくる前記所定の処理結果の情報を前記１つの中継機器を介して無線伝送により受信する送受信手段と、この送受信手段で受信された映像情報を記録する記録手段と、この記録手段に記録された内容を表示する表示手段とを設けた構成である。これにより、識別データと固有識別データとの照合を通して映像情報の漏洩を防止できる。また映像情報、当該動作条件の確認情報を取り込んで記憶し、表示することにより確認可能となり、また当該携帯端末に着脱自在にメモリカードを搭載すれば、記憶された映像情報をメモリカードに記憶し、別場所に備えるパソコンを利用して映像情報を確認でき、また保管管理に有効となる。
【００１９】
【発明の実施の形態】
以下、本発明の実施の形態について図面を参照して説明する。
【００２０】
図１は本発明に係わる防犯映像管理システムの一実施の形態を示す構成図である。
【００２１】
この防犯映像管理システムは、防犯が必要とする場所、例えばエレベータの乗りかご１の天井などに取り付けられる防犯カメラ２と、この防犯カメラ２で撮影された乗りかご１内の映像を記録する映像記録装置３と、この映像記録装置３に記録された映像情報を表示する表示装置４と、無線通信手段を介して映像を読出し表示可能なハンドヘルドターミナルなどの携帯端末５とによって構成されている。
【００２２】
前記防犯カメラ２は、例えば撮像管やＣＣＤ、ＣＭＯＳなどの固体撮像デバイス等の撮像素子などを用いたビデオ、デジタルの撮像カメラであって、例えばエレベータの場合には、乗降者の手の届き難いエレベータ乗りかご内の天井に取り付けられるが、的確な映像を撮影する観点から考えれば、乗りかご内の天井であっても、比較的ドアから離れたかご内天井の比較的奥側からドア側を望むような場所に取り付けるのが望ましく、さらには正面のドアと対峙するかご内の壁面の比較的高い位置に取り付けてもよい。
【００２３】
この防犯カメラ２は、そのまま乗りかご内の天井に直付けする方法もあるが、外部から直接防犯カメラ２と判断されるのは防犯上好ましくないので、外側から例えば撮影上支障をきたさない材料の外装体６で防犯カメラ２を覆うことにより、自然な雰囲気状態で取り付けるのが望ましい。従って、防犯カメラ２という場合、乗りかご内に直付けする場合だけでなく、外装体６で覆う場合も含むものであり、特に請求項の記載においては、前述する両方の場合を含む。
【００２４】
この防犯カメラ２内または外装体６内には、送・受信部７（７ａ，７ｂ）が設けられ、携帯端末５から無線伝送されてくる例えば表示指示制御信号を受信し、映像記録装置３に伝送することにより、映像記録装置３では、記録される映像信号を再生し表示装置４に表示する機能をもっている。
【００２５】
なお、防犯カメラ２内に送受信部７を有する場合、図２に示すように、カメラ本体２ａと、エレベータ乗りかご１内に乗客が乗り込んだとき、その乗客の込んだ状態を感知する人感センサ２ｂと、携帯端末５から受信部７ｂを介して各種の制御信号を受け取ると、その制御信号を判断し、所要の制御を実行し、映像記録装置３から読み出した映像情報を所要の信号に変換し送信部７ａを介して送信するＣＰＵで構成される演算処理制御部２ｃとが設けられている。なお、外装体６内には、送・受信部７を有する場合、外装体６内に防犯カメラ２と同様な構成体を取り付けるものである。
【００２６】
人感センサ２ｂの機能は、演算処理制御部２ｃが常時停止しているが、人感センサ２ｂから乗客乗込み状態の信号が入ってきたときに演算処理制御部２ｃが動作し、カメラ本体２ａからの映像を取込む場合、或いは演算処理制御部２ｃが常時動作しているが、人感センサ２ｂから乗客乗込み状態の信号を受けたときにカメラ本体２ａからの映像を取込む場合の２通りの利用が考えられるが、何れを選択するかは任意である。
【００２７】
前記映像記録装置３は、磁気ディスクや光ディスクなどが用いられ、エレベータ乗りかご１の上部に設置されている。この映像記録装置３と防犯カメラ２は映像用ケーブル８ａおよび制御用ケーブル８ｂが接続され、防犯カメラ２で撮影された映像が映像用ケーブル８ａで伝送され、乗りかご１の天井からかご上部の映像記録装置３に記録される。なお、この映像情報の記録時、映像情報とともに、撮影年月日、時刻などの必要な情報が所要とするフォーマットに従って記録される。
【００２８】
また、この映像記録装置３は、エレベータ乗りかご１の固有識別データが記憶され、携帯端末５から送られてくる識別データと照合し、映像情報の漏洩を未然に回避する映像漏洩保護手段が講じられている。このかご固有識別データとは例えば製造者と製品の製造番号よりなる機器の特有番号などが挙げられる。
【００２９】
防犯カメラ２または外装体６内に設けられる送・受信部７と携帯端末５は、映像情報そのもの、映像情報の表示・記録指示、撮影条件の設定・変更、確認指示等の制御信号を無線伝送によって授受するが、その１つの無線伝送の伝送形態として例えば１，０の情報によって赤外光を変調し所要とする映像情報や制御信号を送信する無線による赤外線伝送９が用いられる。従って、携帯端末５は赤外線による制御信号を送受信する送・受信部が設けられている。
【００３０】
前記表示装置４は、映像記録装置３に記録された映像情報を表示する機能の他、防犯カメラ２と同様に携帯端末５から無線伝送されてくる各種の制御信号を受信する受信部の他、この受信部で受信された制御信号を受け取ったとき、その制御信号を判断し、所要とする処理を実行し、映像記録装置３から読み出した映像情報を表示部に表示する演算処理制御部が設けられている。従って、映像記録装置３と表示装置４は映像用ケーブルおよび制御用ケーブルによって接続され、相互に映像情報および制御信号を伝送可能な構成となっている。
【００３１】
このように表示装置４に送受信部や演算処理部を設けた理由は、防犯カメラ２の設置場所に応じて防犯カメラ２に送受信部７を設けても十分な機能を果たせない場合には防犯カメラ２に代えて表示装置４に同様の機能をもたせるとか、或いは防犯カメラ２および表示装置４の何れかを選択し、自在に映像表示、撮影条件の設定・変更等を可能にするためである。
【００３２】
前記携帯端末５は、図３および図４に示すように、映像条件の設定、取り出すべき映像情報の選択、映像記録装置３に保存される映像情報を取り出すための表示指示操作、さらに取込んだ映像情報を所要とする演算処理，例えば映像情報の圧縮処理等を実行し記録させる記録指示操作等を行う操作キー５１と、この操作キー５１から入力される各種の制御信号の判定データや映像記録装置３の撮影条件を含む動作条件のメニューを設定するデータ設定部５２と、操作キー５１からの制御信号と設定データとから制御内容を判断し所要の信号に変換するＣＰＵで構成される演算処理制御部５３と、この演算処制御理部５３によって判断される例えば操作キー５１からの表示指示操作に基づく表示指示制御信号を例えば１，０の情報によって赤外光を変調し所要とする赤外線の制御信号を防犯カメラ２または表示装置４に無線送信し、その結果、映像記録装置３から得られる映像情報を受信する送受信部５４と、この送受信部５４で受信される映像記録装置３の映像情報を記録する映像記録部５５と、この映像記録部５５に記録される映像情報を表示する表示部５６と、映像記録部５５に記録され、または表示部５６に表示される映像情報を入出力する入出力部５７とが設けられている。
【００３３】
この携帯端末５には、メモリカード５８が着脱自在に装填され、入出力部５７または内部のバスラインに接続される構成となっている。また、携帯端末５に入出力部５７またはモニター専用端子を介して映像情報をモニターする外部モニター装置（図示せず）等が接続可能な構成となっている。メモリカード５８は、取込んだ映像情報を別置のパソコンに装填し、映像確認を可能にするものであり、また外部モニター装置は、携帯端末５の映像記録部５５から直接映像情報を読み出して例えば大型表示画面に表示し映像を確認する役割をもっている。
【００３４】
次に、以上のようなシステムの動作について説明する。
【００３５】
エレベータの保守点検等を行う際、保守員は、携帯端末５を常時携帯し、営業所から現場に出向き、エレベータ管理者等とご相談の上、保守員自らが携帯端末５を操作するが、携帯端末５をエレベータ管理者等に提供し、操作させることも可能である。
【００３６】
保守員またはエレベータ管理者等は、携帯端末５の操作キー５１から識別データ（ＩＤコード）を入力し、例えば表示指示の入力操作を行うと、演算処理制御部５３は、データ設定部５２の設定データを参照し、表示指示操作であると判断したとき、送受信部５４を経由して例えば防犯カメラ２（または表示装置４）に無線伝送し、固有識別データを要求する。
【００３７】
防犯カメラ２側では、受信部７ｂで固有識別データを受信すると、演算処理制御部２ｃを介して制御用ケーブル８ｂを経由し、映像記録装置３から固有識別データを取り出し、送信部７ａから無線伝送にて携帯端末５に送信する。
【００３８】
この携帯端末５は、操作キー５１から入力される識別データと防犯カメラ２から送信されてくる固有識別データとを比較し、両データが一致したとき、表示指示制御信号を防犯カメラ２に例えば赤外線による無線伝送する。
【００３９】
なお、携帯端末５側にて識別データと防犯カメラ２からの固有識別データとを比較するようにしたが、例えば携帯端末５から識別データを含む表示指示制御信号を送信し、防犯カメラ２側または映像記録装置３側にて比較する構成であってもよい。
【００４０】
従って、携帯端末５の操作キー５１から識別データを入力し、映像記録装置３に格納されている固有識別データと比較し、両データが一致したときに初めて映像情報の取り込みを可能にすることにより、映像情報のセキュリティのチェックを実施でき、ひいては映像情報の漏洩を未然に防止することができる。
【００４１】
以上のようにして両データの一致を確認すると、携帯端末５は、例えば防犯カメラ２に向けて表示指示制御信号を無線送信する。この防犯カメラ２の演算処理制御部２ｃは、受信部７ｂを介して表示指示制御信号を受信すると、映像情報を取り出すための制御信号を作成し、制御用ケーブル８ｂを介して映像記録装置３に送信し、映像記録装置３から映像用ケーブル８ａを介して映像情報を取り出す。ここで、演算処理制御部２ｃは、映像情報を携帯端末５に適用可能な映像情報に変換し、赤外線その他の伝送形態により携帯端末５に無線送信する。
【００４２】
この携帯端末５側では、送受信部５４にて映像情報を受信すると、映像記録部５５に記録する。この状態において、操作キー５１から表示指示操作を受けると、映像記録部５５から映像情報を読み出し、表示部５６に表示する。
【００４３】
なお、操作キー５１を２回操作したとき、表示部５６に映像情報を表示するようにしたが、例えば操作キー５１を１回操作するだけで映像情報を表示することも可能である。
【００４４】
従って、携帯端末５は、操作キー５１の操作を含む表示指示制御信号を例えば防犯カメラ２等に送信し、また映像記録装置３から得られた映像情報を表示部５６に表示する一連の処理を実行するものであり、表示指示制御手段を構成する。
【００４５】
次に、操作キー５１から記憶指示操作を行うと、演算処理制御部５３は、映像記録部５５に記録される映像情報を読み出して間引き処理などを行った後、再度映像記録部５５に上書きするとか、或いは上書きされた映像情報を携帯端末５に装填されているメモリカード５８に記憶する処理を実行する。このメモリカード５８は、別場所のパソコン等に装填し、記憶された映像を確認することができる。
【００４６】
このような携帯端末５の一連の処理は、記録指示制御手段を構成する。
【００４７】
なお、映像記録装置３から取り出した映像情報を一旦映像記録部５５に記憶した後、別場所に移動し、携帯端末５の入出力部５７またはモニター専用端子に外部モニター装置を接続すれば、大型画面で映像を確認することができる。
【００４８】
また、携帯端末５は、操作キー５１から動作条件設定の入力操作を行うと、演算処理制御部５３では、条件設定の入力操作を判断し、データ設定部５２から映像記録装置３の撮影条件を含む動作条件のメニューを取り出して表示部５６に表示し、必要な条件項目を選択し変更条件値を入力操作するか、或いは全動作条件項目を選択する場合には全動作条件項目の変更部分だけ変更条件値を入力操作し、送受信部５４から防犯カメラ２に無線伝送する。
【００４９】
防犯カメラ２は、携帯端末５からの動作条件に関する信号を受信し、制御用ケーブル８ｂを経由して映像記録装置３に伝送し、動作条件を変更する。動作条件の読み出しについても、同様に携帯端末５の操作キー５１を操作し、防犯カメラ２を経由して映像記録装置３から動作条件を読み出し、表示部５６に表示し、映像記録装置３の撮影条件を含む動作条件の確認を行う。
【００５０】
このような携帯端末５の一連の処理は、動作条件設定・変更・確認手段を構成する。
【００５１】
なお、以上のような動作の説明は、携帯端末５から防犯カメラ２を介して行う処理であるが、表示装置４を経由しても同様の処理を実行できることは言うまでもない。
【００５２】
従って、以上のような実施の形態によれば、防犯カメラ２が乗りかご１の天井に取り付けられ、かつ、この防犯カメラ２内（外装体６を含む）または表示装置４に送受信部が設けられ、この送受信部を介して映像記録装置３に記録される映像情報を取り出し、携帯端末５に取込むようにしたので、乗りかご１の上部に設置される映像記録装置３に近づかなくても、保守員またはエレベータ管理者等が乗りかご内で比較的少ない労力で短時間に映像をモニタリングできる。
【００５３】
また、保守員等が携帯端末５を携帯し、乗りかご内で防犯カメラ２または表示装置４と無線通信にて映像記録装置３に保存される映像を読み出すので、従来のように乗りかご内に２台の装置を持ち込んだり、所要とする端子に接続し、操作する作業がなくなり、非常に手軽に映像情報を確認できる。
【００５４】
また、携帯端末５から映像記録装置３の撮影条件を含む動作条件を取込んで確認したり、無線通信にて動作条件の変更データを送信し、既に映像記録装置３に設定されている動作条件も容易に変更できる。
【００５５】
さらに、携帯端末５にメモリカード５８を装填し、当該携帯端末５の操作キー５１を操作し、映像記録部５５に記録されている防犯映像を選択し、メモリカード５８に保存することができ、ひいては過去の映像の整理や別のパソコンで映像を確認できる。このとき、撮影情報とともに、撮影年月日、時刻その他必要に応じて予め設定されている固有識別データ等を同時に記録すれば、防犯上非常に有効な手段となりうるものである。
【００５６】
また、携帯端末５と防犯カメラ２（表示装置４を含む）との情報の授受に際し、赤外線を用いることにより、通信範囲が狭く、情報の漏洩を防ぐことができ、しかも映像情報の高速伝送が可能となり、映像が快適な状態で確認できる。
【００５７】
さらに、映像記録装置３に固有識別データを記憶し、携帯端末５との初期情報交換時、携帯端末５を操作する者からの識別データのもとに照合する構成となっているので、映像情報の漏洩を未然に防止できる。
【００５８】
（その他の実施の形態）
図５は本発明に係わる防犯映像管理システムの他の実施形態を示す構成図である。
【００５９】
この防犯映像管理システムは、エレベータ乗りかご１内だけでなく、エレベータ乗りかご１外の別場所から映像記録装置３に記録される映像信号や映像記録装置３の撮影条件を含む動作条件を変更、確認可能にした例である。
【００６０】
この防犯映像管理システムは、乗りかご１上部に設置される映像記録装置３のデータ入出力系に例えばレーザ光などを送受光するかご側送受光器１１が接続され、このかご側送受光器１１はかご真上方向に対してレーザ光を送受するように乗りかご上部の所定位置に固定設置される。
【００６１】
一方、エレベータ昇降路１２の上部には、前記かご側送受光器１１と対峙するように例えばレーザ光などを送受光する昇降路側送受光器１３が設置され、この昇降路側送受光器１３は外部モニター装置１４に接続されている。
【００６２】
従って、かご側送受光器１１と昇降路側送受光器１３は光による双方向無線伝送が可能な構成となっている。
【００６３】
この外部モニター装置１４には、少なくとも表示装置４と同様な機能および送受信部１５が設けられ、携帯端末５と無線伝送にて情報の授受を行う構成となっている。
【００６４】
なお、このシステムの動作は前述した通りであり、映像情報を乗りかご外で大型表示画面で表示する点を除けば、映像記録装置３に記録される映像情報の読み出し表示、映像記録装置３の撮影条件を含む動作条件の設定、変更、確認等にいては前述した通りであり、ここではその説明に譲る。なお、この例では、固有識別データが外部モニター装置１４に格納する構成であってもよい。
【００６５】
従って、以上のような実施の形態によれば、乗りかごに乗客が乗っている場合でも容易に映像情報を取り出して確認することができ、その他前述する効果を奏する。
【００６６】
なお、本願発明は、上記実施の形態に限定されるものでなく、その要旨を逸脱しない範囲で種々変形して実施できる。送受信部７は、防犯カメラ２内または外装体６内に設けたが、例えば完全に切り離してかご天井の適宜な箇所に設置してもよい。
【００６７】
また、送受信部７を含む防犯カメラ２をエレベータ乗りかご内を設置したが、例えば建物の玄関内、エレベータの乗り場その他防犯に必要な場所に設置し、例えば定期的に映像を確認することもできる。
【００６８】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【００６９】
【発明の効果】
以上説明したように本発明によれば、保守員が比較的少ない労力で短時間に映像確認及び撮影条件の設定・確認を行うことができる。
【００７０】
また、本発明は、保守員だけでなく、ユーザにとっても容易に映像を確認でき、しかも映像情報の漏洩を未然に防止できる。
【図面の簡単な説明】
【図１】  本発明に係る防犯映像管理システムの一実施の形態を示す構成図。
【図２】  防犯カメラの一具体例を示す構成図。
【図３】  携帯端末の正面を表わす外観図。
【図４】  携帯端末の一具体例を示す構成図。
【図５】  本発明に係わる防犯映像管理システムの他の実施形態を示す構成図。
【符号の説明】
１…乗りかご
２…防犯カメラ
２ａ…カメラ本体
２ｂ…人感センサ
２ｃ…演算処理制御部
３…映像記録装置
４…表示装置
５…携帯端末
６…外装体
７（７ａ，７ｂ）…送受信部
８ａ…映像用ケーブル
８ｂ…制御用ケーブル
１１，１３…送受光器
１４…外部モニター装置
１５…送受信部
５１…操作キー
５２…データ設定部
５３…演算処理制御部
５４…送受信部
５５…映像記録部
５８…メモリカード
【図１】
0003679390.tif 000002
【図２】
0003679390.tif 000003
【図３】
0003679390.tif 000004
【図４】
0003679390.tif 000005
【図５】
0003679390.tif 000006